(57)【要約】【課題】  多量の画像の中からプリント注文する画像を効率よく選択することができる情報処理装置を提供する。【解決手段】  情報処理装置としてのＰＣのＤＳＰには、画像６２から予め指定された特定部位７１を抽出する画像抽出回路が形成されている。ＰＣのモニタに表示される選択ウィンドウ６０には、複数の画像６２を表示する画像表示領域６１と、画像抽出回路が抽出した画像６２毎の特定部位７１を拡大して表示する特定部位表示領域７０とが設けられている。人物の顔などといった重要な比較ポイントとなる部分を特定部位７１として指定することで、拡大操作などを行う必要がなく、画像６２の選択を効率よく行うことができる。【選択図】        図７
2006268749.tif 000002
【特許請求の範囲】
【請求項１】
記憶手段に記憶された複数のデジタル画像をモニタに並べて表示し、前記複数のデジタル画像の中から出力するデジタル画像をオペレータに選択させる情報処理装置において、
前記複数のデジタル画像のそれぞれから、予め指定された特定部位を抽出する画像抽出手段と、
前記各特定部位を拡大して前記モニタに並べて表示する表示制御手段とを備えたことを特徴とする情報処理装置。
【請求項２】
前記記憶手段に予め記憶された属性データを基にして、前記複数のデジタル画像のそれぞれから同一属性の部位を検出し、検出した各部位を前記複数のデジタル画像毎の前記特定部位として指定する自動指定手段を設けたことを特徴とする請求項１記載の情報処理装置。
【請求項３】
前記オペレータからの操作指示によって一つのデジタル画像の前記特定部位が指定された際に、その特定部位の属性を、前記記憶手段に予め記憶された属性データを基にして判定する属性判定手段と、
前記属性判定手段が判定した属性を基にして、残りのデジタル画像のそれぞれから同一属性の部位を検出し、検出した各部位を前記残りのデジタル画像毎の前記特定部位として指定する自動指定手段とを設けたことを特徴とする請求項１記載の情報処理装置。
【請求項４】
前記自動指定手段は、一つのデジタル画像から同一属性の部位を複数検出した際に、そぞれの部位を前記モニタに表示し、前記特定部位として指定する部位を前記オペレータに選択させることを特徴とする請求項２又は３記載の情報処理装置。
【請求項５】
前記自動指定手段は、一つのデジタル画像から同一属性の部位を複数検出した際に、前記複数のデジタル画像のそれぞれについて前記記憶手段に予め記憶された定義データを参照し、その定義データに基づいて、前記特定部位として指定する部位を決定することを特徴とする請求項２又は３記載の情報処理装置。
【請求項６】
前記記憶手段は、前記定義データとして少なくとも撮影内容、撮影シーン、服装、被写体の情報を記憶していることを特徴とする請求項５記載の情報処理装置。
【請求項７】
前記属性には、少なくとも人物、動物、人工造形物、風景が含まれ、
前記属性データは、前記各属性を表す、周波数特性、濃度特性、色相特性、形状特性のいずれかから構成されていることを特徴とする請求項２から６のいずれか１項に記載の情報処理装置。
【請求項８】
前記特定部位は、前記オペレータからの操作指示によって、前記複数のデジタル画像毎に予め指定されることを特徴とする請求項１記載の情報処理装置。
【発明の詳細な説明】
【技術分野】
【０００１】
本発明は、記念写真や商品の撮影を専門に行う写真スタジオに設置される写真撮影システムに用いられる情報処理装置に関する。
【背景技術】
【０００２】
近年、記念写真や商品の撮影を専門に行う写真スタジオに、デジタルカメラで撮影した画像をパーソナルコンピュータ（情報処理装置）のモニタ上に表示し、その場で画像のプリント注文を受け付けることができるようにした写真撮影システムが導入されている（特許文献１参照）。
【０００３】
プリント注文の受け付けは、モニタ上に表示された画像を顧客に選択させ、撮影された複数の画像から必要な枚数を絞り込むことによって行われる。この際、効率よく絞り込みを行う方法として、複数の画像をモニタ上に並べて表示し、優先度の高い順にランク付けを行う方法（特許文献２参照）や、構図の似た画像同士を並べて表示し、一対一で対比して良い方を残していく方法などが知られている。
【特許文献１】特開２００２−１３９８０５号公報
【特許文献２】特開２００４−２１３４２８号公報
【発明の開示】
【発明が解決しようとする課題】
【０００４】
しかしながら、プロカメラマンが撮影した画像では、画像全体を見て比較を行ったとしても然したる違いは無く、例えば、人物の顔などといった肝要な部位を拡大表示し、表情やピントの具合を見て比較を行うケースが多い。撮影枚数が多量である場合に、逐一拡大表示して比較を行うのは非常に煩わしく、上述の絞り込み方法も、必ずしも効率が良いとは言い難いものであった。
【０００５】
本発明は、上記課題を鑑みてなされたものであって、多量の画像がある場合でも、出力する画像を効率よく選択することができる情報処理装置を提供することを目的とする。
【課題を解決するための手段】
【０００６】
上記目的を達成するため、本発明の情報処理装置は、記憶手段に記憶された複数のデジタル画像のそれぞれから、予め指定された特定部位を抽出する画像抽出手段と、前記各特定部位を拡大してモニタに並べて表示する表示制御手段とを備えたことを特徴とする。
【０００７】
なお、記憶手段に予め記憶された属性データを基にして、前記複数のデジタル画像のそれぞれから同一属性の部位を検出し、検出した各部位を前記複数のデジタル画像毎の前記特定部位として指定する自動指定手段を設けることが好ましい。
【０００８】
また、オペレータからの操作指示によって一つのデジタル画像の前記特定部位が指定された際に、その特定部位の属性を、前記記憶手段に予め記憶された属性データを基にして判定する属性判定手段と、前記属性判定手段が判定した属性を基にして、残りのデジタル画像のそれぞれから同一属性の部位を検出し、検出した各部位を前記残りのデジタル画像毎の前記特定部位として指定する自動指定手段とを設けるようにしてもよい。
【０００９】
さらに、前記自動指定手段は、一つのデジタル画像から同一属性の部位を複数検出した際に、それぞれの部位を前記モニタに表示し、前記特定部位として指定する部位を前記オペレータに選択させることが好ましい。
【００１０】
なお、前記自動指定手段は、一つのデジタル画像から同一属性の部位を複数検出した際に、前記複数のデジタル画像のそれぞれについて前記記憶手段に予め記憶された定義データを参照し、その定義データに基づいて、前記特定部位として指定する部位を決定するものであってもよい。
【００１１】
また、前記記憶手段は、前記定義データとして少なくとも撮影内容、撮影シーン、服装、被写体の情報を記憶していることが好ましい。
【００１２】
また、前記属性には、少なくとも人物、動物、人工造形物、風景が含まれ、前記属性データは、前記各属性を表す、周波数特性、濃度特性、色相特性、形状特性のいずれかから構成されていることが好ましい。
【００１３】
さらに、前記特定部位は、前記オペレータからの操作指示によって、前記複数のデジタル画像毎に予め指定されるものであってもよい。
【発明の効果】
【００１４】
本発明の情報処理装置によれば、複数のデジタル画像のそれぞれから、予め指定された特定部位を抽出する画像抽出手段と、各特定部位を拡大してモニタに並べて表示する表示制御手段とを備えたので、例えば、人物の顔などといった重要な比較ポイントとなる部分を特定部位とし、拡大してモニタに並べて表示することによって、オペレータが拡大操作を行う必要がなく、各デジタル画像を一括して比較することができるので、出力する画像を効率よく選択することができる。
【発明を実施するための最良の形態】
【００１５】
図１において、写真撮影システム２は、婚礼や七五三などの記念撮影や商品撮影を専門に取り扱う写真スタジオに設置され、デジタルカメラ１０で撮影して得られた画像データ、あるいは、メモリカードやＣＤ−Ｒなどの記録媒体１１に記録された画像データ（写真フイルムをＴＩＦＦまたはＪＰＥＧ形式でデジタイズしたものも含む）を、情報処理装置としてのパーソナルコンピュータ（以下、ＰＣと略す）１２に取り込み、その画像データで表される画像（デジタル画像）をＰＣ１２のモニタ１３上に表示して画像のプリント注文を受け付け、写真スタジオに備え付けのプリンタ１４や、プリントラボ１５に設置された業務用プリンタ１６で、注文内容に応じたプリントを作成するものである。
【００１６】
デジタルカメラ１０、プリンタ１４は、例えば、ＩＥＥＥ１３９４、ＵＳＢ（Universal Serial Bus）などに準拠した通信ケーブルや、無線ＬＡＮなどによりＰＣ１２に接続され、ＰＣ１２とのデータの相互通信が可能となっている。なお、記録媒体１１も同様に、専用のドライバを介してＰＣ１２とのデータの遣り取りが可能となっている。また、プリントラボ１５へのプリント注文は、例えば、インターネット回線を利用したネット注文や、注文書を介した注文などによって行われる。
【００１７】
デジタルカメラ１０の内部構成を示す図２において、ＣＰＵ２０は、データバス２１を介して各部に接続され、デジタルカメラ１０全体の動作を統括的に制御する。ＲＯＭ２２には、デジタルカメラ１０を動作させるための各種プログラムやデータが記憶されている。ＣＰＵ２０は、これらのプログラムやデータをＲＯＭ２２から作業用メモリであるＲＡＭ２３に読み出して、各種処理を実行する。また、ＣＰＵ２０は、シャッタレリーズを行わせるためのレリーズボタンや、絞り、シャッタ速度、ズーム倍率、撮影感度などを設定するための各種設定ボタンで構成される操作部２４からの入力を受けて、デジタルカメラ１０の各部を動作させる。
【００１８】
撮像部２５は、周知の撮像レンズやＣＣＤを備え、被写体の光学像を光電変換してデジタルの画像データを出力する。撮像部２５から出力された画像データは、ＲＡＭ２３に一旦格納される。この画像データは、ホワイトバランス処理などの画像処理が施されていない原画像データ（ＲＡＷデータ）であり、例えば、ＲＧＢの色毎に１２ビットで表現される階調値を持った多数の画素データから構成される。
【００１９】
画像処理回路２６は、ＲＡＭ２３から原画像データを読み出して、ＲＧＢの色毎の階調値を８ビットに縮小するとともに、ホワイトバランス処理や階調変換処理などの適当な画像処理を施す。
【００２０】
圧縮・伸長処理回路２７は、画像処理回路２６で画像処理が施された画像データに対して、ＪＰＥＧで定められたフォーマットに従って圧縮処理を施し、圧縮画像データを出力する。また、画像処理済みの画像データに間引き演算を施すことで、例えば、１２８０×９６０ピクセルのＪＰＥＧ画像データ（以下、サムネイル画像データと称す）を出力する。圧縮・伸長処理回路２７で圧縮処理された画像データは、メディアコントローラ２８を経由してメモリカード２９に記録される。
【００２１】
ＬＣＤ３０は、ＬＣＤドライバ３１の制御の下に、被写体像のスルー画像を表示するとともに、撮影した画像を再生表示する。通信Ｉ／Ｆ３２は、撮像部２５から出力された原画像データ、圧縮・伸長処理回路２７から出力された圧縮画像データおよびサムネイル画像データを、前述の通信ケーブルや無線ＬＡＮを介してＰＣ１２に送信する。
【００２２】
ＰＣ１２の内部構成を示す図３において、ＰＣ１２は、データバス３６を介して各部に接続され、ＰＣ１２全体の動作を統括的に制御するＣＰＵ３５と、写真撮影システム用プログラム（以下、単にプログラムと称す）３８などのＰＣ１２を動作させるための各種プログラムや、これらのプログラムに用いられる各種のデータなどが記憶された記憶手段としてのハードディスクドライブ（ＨＤＤ）３７と、ＣＰＵ３５から画像データを受け渡された際に、その画像データに対して種々の画像処理を行うデジタルシグナルプロセッサー（ＤＳＰ）３９と、モニタドライバ４０の制御の下に、後述する顧客管理ウィンドウ５０（図４参照）や、選択ウィンドウ６０（図５参照）などを表示するモニタ１３と、デジタルカメラ１０や記録媒体１１から送信される各画像データの受信とともに、プリンタ１４や業務用プリンタ１６へのプリント指令の送信を媒介する通信Ｉ／Ｆ４１とから構成されている。
【００２３】
ＣＰＵ３５は、プログラム３８や各種のデータをＨＤＤ３７から作業用メモリであるＲＡＭ４２に読み出して、各種処理を実行する。また、ＣＰＵ３５は、キーボードやマウスなどからなる操作部４３を介してオペレータからの操作指示を受け、ＰＣ１２の各部を動作させる。
【００２４】
ＨＤＤ３７に記憶されるデータには、例えば、デジタルカメラ１０から送信される各画像データ、及び顧客の個人情報やプリント注文の内容などを示す顧客管理データなどがある。さらにＨＤＤ３７には、人物（全体像、顔など）、動物（犬、猫、鳥など）、人工造形物（乗物、建物、道具、衣服など）、風景（山、海、森林、花など）などといった画像の属性を示す属性データが、予め記憶されている。この属性データは、例えば、各属性を表す画像の平均的な周波数特性、濃度特性、色相特性、形状特性などの諸特性によって構成されており、画像から特定の部位を抽出する際などに用いられる。
【００２５】
プログラム３８は、デジタルカメラ１０による撮影、記録媒体１１からの画像データの取り込み、顧客へのプレゼンテーションおよびプリント注文する画像の選択、トリミングや色調整などの検定、プリント注文、発注、照合までの工程を、ＰＣ１２で一括して処理することができるようにしたものであり、ＣＤ−ＲＯＭ、ＤＶＤ−ＲＯＭなどの記録媒体からＨＤＤ３７にインストールされる。
【００２６】
操作部４３が操作されてプログラム３８が起動すると、モニタ１３には、図４に示す顧客管理ウィンドウ５０が表示される。顧客管理ウィンドウ５０は、操作部４３からの操作入力により、新規顧客の登録や登録内容の修正、削除、顧客の検索などを行うためのもので、写真撮影システム２の顧客の個人情報（オーダーＩＤ、受付ＩＤ、氏名、電話番号）とともに、撮影日時、撮影内容（婚礼、七五三、赤ちゃんなど）、工程の進行状況などが一覧５１として表示される。また、顧客管理ウィンドウ５０の上部には、対象となっている顧客の情報５２が表示される。対象となっている顧客は、一覧５１上でカーソル５３（図中ハッチングで示す）により他の顧客と区別される。なお、対象となる顧客の選択は、例えば、操作部４３のマウスの操作に対応するポインタ５５を、各顧客の欄に合わせてクリックしたり、操作部４３のキーボードに設けられた十字キーを押圧操作することによって行われる。
【００２７】
顧客管理ウィンドウ５０の下部には、各工程に移行するためのボタン群（「撮影」、「取り込み」、「選択」、「注文」、「合成」、「検定」、「ラボ発注」、「自家処理」、および「照合」ボタン）５４が配されている。一覧５１で対象となる顧客を選択した後、これらのボタン群５４のいずれかにポインタ５５を合わせてクリックすることで、対応する工程に移行するとともに、各工程用のウィンドウに表示が切り替わる。プログラム３８は、撮影工程や取り込み工程で得られた各画像データと個人情報や注文情報などの顧客管理データとを互いに関連付けてＨＤＤ３７に記憶し、顧客毎に一括した管理を行えるようにしている。
【００２８】
顧客管理ウィンドウ５０において、「撮影」ボタンがクリックされると、デジタルカメラ１０による被写体の撮影を補助する撮影工程に移行する。撮影工程にあるＰＣ１２は、デジタルカメラ１０から送信される各画像データを、顧客管理データと関連付けてＨＤＤ３７に記憶していくとともに、その画像データで表される画像をモニタ１３に表示するなどして、撮影を補助する。「取り込み」ボタンがクリックされると、記録媒体１１から画像データを取り込む取り込み工程に移行する。
【００２９】
「選択」ボタンがクリックされると、モニタ１３の表示が、図５に示す選択ウィンドウ６０に切り替わり、顧客へのプレゼンテーションおよびプリント注文する画像の選択を行う選択工程に移行する。選択ウィンドウ６０の画像表示領域６１には、顧客管理ウィンドウ５０で選択された顧客について、撮影工程や取り込み工程で取得された全ての画像６２が表示される。分割表示された個々の画像コマ６１ａには、画像６２とともに、その画像６２を表す圧縮画像データのファイルネームと、その画像６２をプリント注文するか否かの選択結果を入力するチェックボックス６３とが表示されている。
【００３０】
チェックボックス６３には、プリント注文の対象にすることを示す「○」ボタンと、検討中を示す「△」ボタンと、プリント注文の対象外にすることを示す「×」ボタンとが設けられており、オペレータが顧客とともに各画像６２の映り具合などを判定し、その結果をチェックボックス６３に入力していくことにより、プリント注文する画像６２の選択が行われる。また、画像表示領域６１の右端には、表示する画像６２が多量である場合に、表示する画像６２を順次送っていくためのスクロールバー６４が設けられている。
【００３１】
画像表示領域６１の下部には、「選択終了」ボタン６５と、「環境設定ボタン」６６と、「特定部位抽出」ボタン６７とが設けられている。プリント注文する画像６２の選択が終了した後、「選択終了」ボタン６５をクリックすると、選択工程が終了し、モニタ１３の表示が、選択ウィンドウ６０から顧客管理ウィンドウ５０に戻る。「環境設定ボタン」６６がクリックされると、選択ウィンドウ６０内に環境設定リスト（図示は省略）が表示され、例えば、画像表示領域６１に表示する画像６２のサイズ（分割数）などといった選択工程に係る各種の環境設定を設定することができる。
【００３２】
「特定部位抽出」ボタン６７がクリックされると、図６に示すように、ポインタ５５が、所定の抽出サイズに応じた切り出し枠６８に切り替わり、各画像６２から特定部位を抽出するモードになる。なお、切り出し枠６８の抽出サイズは、環境設定によって任意に変更することができる。
【００３３】
ここで一旦図３に戻って、ＤＳＰ３９には、画像抽出回路（画像抽出手段）４４と、属性判定回路（属性判定手段）４５と、自動指定回路（自動指定手段）４６とが形成されている。画像抽出回路４４は、切り出し枠６８によって各画像６２のいずれか一つから、例えば、人物の顔などといった特定部位が指定された際に、ＣＰＵ３５からその画像６２と特定部位の位置情報とを受け取り、画像６２から特定部位のみを抽出する。属性判定回路４５は、画像抽出回路４４が抽出した特定部位の諸特性を解析し、その解析結果とＨＤＤ３７に予め記憶された属性データとを対比することによって、抽出した特定部位の属性を判定する。自動指定回路４６は、属性判定回路４５が判定した属性を基に、残りの画像６２の諸特性を解析して残りの画像６２から同一属性の部位を検出し、検出した各部位を残りの画像６２の特定部位として指定する。
【００３４】
また、画像抽出回路４４は、自動指定回路４６が特定部位を指定した残りの画像６２からも、それぞれの特定部位を抽出し、全ての画像６２から同一属性を有する特定部位を抽出する。なお、画像抽出回路４４による特定部位の抽出は、例えば、コピーされた画像６２に対して行われたり、特定部位のみをコピーすることによって行われ、抽出によって元となった画像６２が破損することはない。また、これらの回路４４、４５、４６は、ＤＳＰ３９に限らず、ＦＰＧＡに形成するようにしてもよいし、ディスクリートで形成するようにしてもよい。さらには、画像抽出手段、属性判定手段、自動指定手段として、上述の処理を行うソフトウェアをＨＤＤ３７に記録するようにしてもよい。
【００３５】
全ての画像６２から特定部位が抽出されると、図７に示すように、画像表示領域６１が縮小され、縮小された部分に抽出した各特定部位７１を拡大して表示する特定部位表示領域７０が形成される。各画像６２のチェックボックス６３とスクロールバー６４、及び各特定部位７１のチェックボックス７２とスクロールバー７３は、互いに連動しており、一方を操作すると、その操作が他方にも反映されるようにされている。これにより、各画像６２と各特定部位７１とで違う選択結果が入力されることを防止できるとともに、常に各画像６２に対応した各特定部位７１を表示させることができる。但し、特定部位表示領域７０のチェックボックス７２は、操作性を向上させるためのものであるから、画像表示領域６１のチェックボックス６３のみで選択結果を入力するようにしてもよい。なお、各特定部位７１の表示方法は、図示によるものに限らず、例えば、別ウィンドウに表示するものでもよいし、画像表示領域６１と特定部位表示領域７０とを切り替え表示するものなどであってもよい。
【００３６】
また、各特定部位７１は、プログラム３８をＣＰＵ３５が逐次処理し、モニタドライバ４０を制御することによってモニタ１３に表示されるものである。すなわち、本例における請求項記載の表示制御手段は、ＣＰＵ３５とプログラム３８とモニタドライバ４０とによって構成される。
【００３７】
また、自動指定回路４６は、例えば、ＤＳＣ００３、ＤＳＣ００４、ＤＳＣ００６などの人物の顔のように、一つの画像６２から同一属性の部位を複数検出した際に、図８に示すように、その画像６２を小ウィンドウ７５としてモニタ１３にポップアップ表示し、特定部位７１として指定する部位をオペレータに選択させる。この際、小ウィンドウ７５には、画像６２とともに検出した部位を示す検出枠７６が各部位のそれぞれに表示され、選択は、この検出枠７６のいずれかをクリックすることによって行われる。なお、小ウィンドウ７５に画像６２を表示する代わりに、検出した各部位のみを表示するようにしてもよい。また、上述のように同一属性の部位が複数ある際には、特定部位７１として指定する部位を、後からでも変更できるようにしておくことが好ましい。
【００３８】
図４に戻って、「注文」ボタンが選択されると、選択工程で選択された画像のプリントサイズ、プリント枚数などを入力する注文工程に移行する。「合成」ボタンが選択されると、選択工程で選択された画像を規定のレイアウト枠に配置して、オリジナルのフォトアルバムを作成する合成工程に移行する。「検定」ボタンが選択されると、写真撮影システム２が設置された写真スタジオで推奨する仕上がりとなるように、画像データに色補正や階調補正を施す検定工程に移行する。
【００３９】
「ラボ発注」ボタンが選択されると、注文工程で設定されたプリントサイズおよびプリント枚数にて、選択工程で選択された画像のプリント注文をプリントラボ１５の業務用プリンタ１６に発注するラボ発注工程に移行する。「自家処理」ボタンが選択されると、選択工程で選択された画像をプリンタ１４でプリントする自家処理工程に移行する。また、自家処理工程では、選択された画像を、例えば、ＣＤ−ＲやＤＶＤ−Ｒなどの記録メディアに書き込むことができる。すなわち、請求項１記載の『出力する』には、プリントラボ１５への発注と、プリンタ１４でのプリントと、記録メディアへの書き込みとを含めるものとする。「照合」ボタンが選択されると、プリントラボ１５の業務用プリンタ１６に発注したプリントが写真スタジオに納品されたときに、プリントの内容確認・照合を行うためのインデックスプリントを作成する照合工程に移行する。
【００４０】
次に、上記構成を有する写真撮影システム２の作用について、図９のフローチャートを参照して説明する。まず、ＰＣ１２とデジタルカメラ１０、プリンタ１４、および業務用プリンタ１６とを相互通信可能なように接続し、写真撮影システム２を構築する。
【００４１】
次いで、操作部４３を操作してプログラム３８を起動し、モニタ１３に顧客管理ウィンドウ５０（図４参照）を表示させる。顧客管理ウィンドウ５０では、新規顧客の登録や登録内容の修正、削除、顧客の検索などが行われる。
【００４２】
「撮影」ボタンがクリックされて撮影工程に移行し、デジタルカメラ１０による撮影が開始されると、原画像データ、圧縮画像データ、およびサムネイル画像データが、通信Ｉ／Ｆ４１を経由してＨＤＤ３７に記憶される。取り込み工程では、記録媒体１１からＨＤＤ３７への画像データの取り込みが行われる。撮影工程、及び取り込み工程でＨＤＤ３７に記憶される各画像データは、顧客管理データと互いに関連付けられて、顧客毎に一括管理される。
【００４３】
「選択」ボタンがクリックされて選択工程に移行すると、モニタ１３の表示が、顧客管理ウィンドウ５０から選択ウィンドウ６０（図５参照）に切り替わる。選択ウィンドウ６０には、顧客管理ウィンドウ５０で選択された顧客についての全ての画像６２が表示され、オペレータが顧客とともに各画像６２の映り具合などを判定し、その結果をチェックボックス６３に入力していくことにより、プリント注文する画像６２の選択が行われる。
【００４４】
この際、「特定部位抽出」ボタン６７をクリックすると、ポインタ５５が切り出し枠６８（図６参照）に切り替わる。この切り出し枠６８を、例えば、人物の顔などといった部位に合わせてクリックすると、その部位がクリックされた画像６２の特定部位７１として指定される。一つの画像６２の特定部位７１が指定されると、その画像６２と、特定部位７１の位置情報とが画像抽出回路４４に送られ、画像抽出回路４４によって画像６２から特定部位７１のみが抽出される。
【００４５】
抽出された特定部位７１は、属性判定回路４５に送られ、その属性が判定される。属性の判定が終了すると、自動指定回路４６によって、残りの画像６２から同一属性の部位が検出され、検出された各部位が残りの画像６２の特定部位７１として指定される。残りの画像６２の特定部位７１も、同様に画像抽出回路４４によって抽出され、全ての画像６２から同一属性を有する特定部位７１が抽出される。抽出された各特性部位７１は、図７に示すように、拡大してモニタ１３に並べて表示される。表示された画像６２、及び特定部位７１の映り具合などを確認しながら、プリント注文する画像６２の選択が終了した後、「選択終了」ボタン６５をクリックすることで、選択工程が終了する。
【００４６】
本実施形態のＰＣ１２によれば、プリント注文する画像６２を選択する際に、画像６２の全体と、画像６２から抽出されて拡大表示される特定部位７１とを確認することができる。これにより、例えば、人物の顔などといった重要な比較ポイントとなる部分を特定部位７１として指定し、拡大してモニタ１３に並べて表示することによって、オペレータが拡大操作などを行うことなく各画像６２を一括して比較することができるので、プリント注文する画像６２を効率よく選択することができる。
【００４７】
また、多量の画像６２がある際にも、オペレータが指定する特定部位７１は一つでよく、残りの画像６２の特定部位７１は、自動指定回路４６が指定するので、オペレータの手を煩わせることもない。かつ、ＨＤＤ３７に予め属性データさえ記憶させておけば、人物の顔、ペット、商品などといった複数の属性に対して即座に対応する汎用性の高いシステムを構築することができる。
【００４８】
なお、上記実施形態では、オペレータに一つの特定部位７１を指定させ、その特定部位７１の属性を判定し、同じ属性を有する部位を検出することによって、残りの画像６２の特定部位７１を指定するようにしているが、特定部位７１の指定方法は、上記に限ることなく、例えば、環境設定において予め抽出する属性を登録しておき、「特定部位抽出」ボタン６７がクリックされたことに応じて、各画像６２の諸特性を自動指定回路４６に解析させ、同一属性の部位を検出することによって、各特定部位７１を指定するようにしてもよい。また、切り出し枠６８を用いて、オペレータが各画像６２の特定部位７１を、手動で指定するようにしてもよい。さらに、これらの指定方法を、環境設定で変更できるようにしてもよい。
【００４９】
また、上記実施形態では、切り出し枠６８を用いて特定部位７１を指定するようにしているが、これに限ることなく、例えば、ポインタ５５で画像６２をクリックし、クリックされた地点を中心とした所定の抽出サイズで特定部位７１を指定するようにしてもよい。
【００５０】
さらに、上記実施形態では、自動指定回路４６が一つの画像６２から同一属性の部位を複数検出した際に、その画像６２を小ウィンドウ７５（図８参照）としてモニタ１３にポップアップ表示し、特定部位７１として指定する部位をオペレータに選択させるようにしているが、撮影内容（結婚式、七五三、成人式など）、撮影シーン（式場、スタジオ、ロケなど）、服装（ウェディング、和装、洋装など）、被写体（男性、女性、大人、子供、立ち位置など）などといった情報を画像６２毎の定義データとして予めＨＤＤ３７などに記憶させておき、同一属性の部位を複数検出した際に、この定義データを参照して、例えば、結婚式のスタジオ撮影であれば、左側に位置する顔を女性と認識したり、七五三の撮影であれば、最も低い位置にある顔を子供と認識するなど、定義データに基づいて、各画像６２で最も重要となる被写体を自動指定回路４６で判定して、特定部位７１として指定する部位を自動的に決定するようにしてもよい。
【００５１】
なお、上記実施形態では、記憶手段として、いわゆる内蔵型のＨＤＤ３７を示しているが、インターネットやＬＡＮ、さらにはＵＳＢやＩＥＥＥ１３９４などを介して接続される、いわゆる外付け型のＨＤＤとしてもよい。また、ＨＤＤに限ることなく、リード／ライトが可能で、かつ不揮発性のメモリであれば、例えば、ＲＡＭやフラッシュＲＯＭなどの、他のメモリを用いてもよい。
【００５２】
また、操作の簡便化を図るために、モニタ１３をタッチパネルで構成し、モニタ１３の画面に顧客が指を接触させることで、各種選択操作を行わせるようにしてもよい。
【図面の簡単な説明】
【００５３】
【図１】写真撮影システムの構成を示す概略図である。
【図２】デジタルカメラの内部構成を示すブロック図である。
【図３】パーソナルコンピュータの内部構成を示すブロック図である。
【図４】顧客管理ウィンドウを示す説明図である。
【図５】選択ウィンドウを示す説明図である。
【図６】選択ウィンドウに切り出し枠が表示された状態を示す説明図である。
【図７】選択ウィンドウに特定部位が表示された状態を示す説明図である。
【図８】選択ウィンドウに小ウィンドウが表示された状態を示す説明図である。
【図９】写真撮影システムの選択工程における処理手順を示すフローチャートである。
【符号の説明】
【００５４】
２  写真撮影システム
１０  デジタルカメラ
１２  パーソナルコンピュータ（ＰＣ、情報処理装置）
１３  モニタ
２０  ＣＰＵ
２５  撮像部
２７  圧縮・伸長処理回路
３５  ＣＰＵ
３７  ハードディスクドライブ（ＨＤＤ、記憶手段）
３８  写真撮影システム用プログラム（プログラム）
３９  ＤＳＰ
４３  操作部
４４  画像抽出回路（画像抽出手段）
４５  属性判定回路（属性判定手段）
４６  自動指定回路（自動指定手段）
５０  顧客管理ウィンドウ
６０  選択ウィンドウ
６２  画像（デジタル画像）
６３  チェックボックス
６８  切り出し枠
７１  特定部位
７５  小ウィンドウ
【図１】
2006268749.tif 000003
【図２】
2006268749.tif 000004
【図３】
2006268749.tif 000005
【図４】
2006268749.tif 000006
【図５】
2006268749.tif 000007
【図６】
2006268749.tif 000008
【図７】
2006268749.tif 000009
【図８】
2006268749.tif 000010
【図９】
2006268749.tif 000011